(57)【要約】【課題】  ケラチン質繊維に物質を塗布する改良型のアプリケータを提供する。【解決手段】  本発明は、    支持体（１０）と；  フック及び（又は）ループで構成され、支持体（１０）に固着した少なくとも一つの条片（１１）で担持された多数のアプリケータ要素（１６）と；を有し、  条片（１１）が、アプリケータ要素（１６）を担持する少なくとも一つの突起部を備え、上記突起部が、条片（１１）を二つの部分に副分割し、二つの各部分がアプリケータ要素（１６）を備えている、ケラチン質の繊維、特にまつげや眉毛に物質を塗布するアプリケータ（３）を提供する。【選択図】    図１
2004351210.tif 000002
【特許請求の範囲】
【請求項１】
ケラチン質の繊維、特にまつげや眉毛に物質を塗布するアプリケータであって、
支持体（１０）と；
フック及び（又は）ループで構成され、支持体（１０）に固着した少なくとも一つの条片（１１）で担持された多数のアプリケータ要素（１６）と；
を有し、
条片（１１）が、アプリケータ要素（１６）を担持する少なくとも一つの突起部を備え、上記突起部が、条片（１１）を二つの部分に副分割し、二つの各部分がアプリケータ要素（１６）を備えていること
を特徴とするアプリケータ。
【請求項２】
突起部の少なくとも一つの部位における曲率半径（Ｒ）が上記部分の少なくとも一方の曲率半径（Ｒ’）と異なっていることを特徴とする請求項１記載のアプリケータ。
【請求項３】
突起部が条片（１１）の折畳み部で画定されていることを特徴とする請求項１又は２記載のアプリケータ。
【請求項４】
突起部が条片（１１）の縁部で画定されていることを特徴とする請求項１〜３のいずれか一項記載のアプリケータ。
【請求項５】
上記二つの部分の曲率半径が異なっていることを特徴とする請求項１〜４のいずれか一項記載のアプリケータ。
【請求項６】
支持体（１０）が、物質の供給源と流体連通した少なくとも一つの通路（１００、１０１）を備えていることを特徴とする請求項１〜５のいずれか一項記載のアプリケータ。
【請求項７】
条片（１１）が、通路（１００、１０１）と流体連通した少なくとも一つの通路（１０２）を備えていることを特徴とする請求項６記載のアプリケータ。
【請求項８】
条片（１１）の少なくとも一つの部位における曲率半径が、５ｍｍに等しか又はそれ以下であり、特に４ｍｍ、３ｍｍ、２ｍｍ、１ｍｍに等しいか又はそれ以下であることを特徴とする請求項１〜７のいずれか一項記載のアプリケータ。
【請求項９】
条片（１１）が、支持体（１０）に熱シールされていることを特徴とする請求項１〜８のいずれか一項記載のアプリケータ。
【請求項１０】
条片（１１）が、支持体（１０）に接着剤で接着されていることを特徴とする請求項１〜８のいずれか一項記載のアプリケータ。
【請求項１１】
支持体（１０）が条片（１１）にオーバーモールドされていることを特徴とする請求項１〜８のいずれか一項記載のアプリケータ。
【請求項１２】
条片（１１）が第１の面（１３）と第１の面（１３）の反対側の第２の面（１４）とを備え、またアプリケータ要素（１６）が第１の面（１３）で担持されていることを特徴とする請求項１〜１１のいずれか一項記載のアプリケータ。
【請求項１３】
条片（１１）が第２の面（１４）と並んで二重に折畳まれていることを特徴とする請求項１２記載のアプリケータ。
【請求項１４】
第２の面（１４）が接着性であることを特徴とする請求項１２又は１３記載のアプリケータ。
【請求項１５】
支持体（１０）の表面に条片（１１）が配置され、上記表面の少なくとも一つの部位における曲率半径が２ｍｍ等しいかそれ以下であることを特徴とする請求項１〜１４のいずれか一項記載のアプリケータ。
【請求項１６】
支持体（１０）の横断面が円形でないことを特徴とする請求項１〜１５のいずれか一項記載のアプリケータ。
【請求項１７】
支持体（１０）の横断面が実質的に多角形又は矩形であることを特徴とする請求項１〜１６のいずれか一項記載のアプリケータ。
【請求項１８】
条片（１１）の少なくとも一つの面がほぼ平面であることを特徴とする請求項１〜１７のいずれか一項記載のアプリケータ。
【請求項１９】
条片（１１）が支持体（１０）の形状に合わせるようにして支持体（１０）に固着されていることを特徴とする請求項１〜１８のいずれか一項記載のアプリケータ。
【請求項２０】
支持体（１０）が条片（１１）によって単に部分的に覆われていることを特徴とする請求項１〜１９のいずれか一項記載のアプリケータ。
【請求項２１】
条片（１１）が支持体（１０）と接触する伸張部の単に一部分を備えた面を含んでいることを特徴とする請求項１〜２０のいずれか一項記載のアプリケータ。
【請求項２２】
上記面が、突起部の近くでは支持体（１０）と接触しないことを特徴とすることを特徴とする請求項２１記載のアプリケータ。
【請求項２３】
支持体（１０）の基部に近い部分が、アプリケータ要素で画定した包囲体表面より大きいことを特徴とする請求項１〜２２のいずれか一項記載のアプリケータ。
【請求項２４】
条片（１１）が、随意にフロック加工される織布又は不織布から成っていることを特徴とする請求項１〜２３のいずれか一項記載のアプリケータ。
【請求項２５】
各アプリケータ要素（１６）がフック形状であることを特徴とする請求項１〜２４のいずれか一項記載のアプリケータ。
【請求項２６】
各アプリケータ要素（１６）がループ形状であることを特徴とする請求項１〜２４のいずれか一項記載のアプリケータ。
【請求項２７】
アプリケータ要素（１６）が、フックを形成するように切断したループを備えていることを特徴とする請求項１〜２４のいずれか一項記載のアプリケータ。
【請求項２８】
アプリケータ要素（１６）の基部が、条片（１１）上に一様に分布されていることを特徴とする請求項１〜２７のいずれか一項記載のアプリケータ。
【請求項２９】
アプリケータ要素（１６）の自由端がランダムに向いていることを特徴とする請求項１〜２８のいずれか一項記載のアプリケータ。
【請求項３０】
アプリケータ要素（１６）の高さが、４ｍｍに等しいか又はそれ以下であり、特に２ｍｍに等しいか又はそれ以下であることを特徴とする請求項１〜２９のいずれか一項記載のアプリケータ。
【請求項３１】
条片（１１）が少なくとも一つの開口（７６）、特にスロット（７７）を備えていることを特徴とする請求項１〜３０のいずれか一項記載のアプリケータ。
【請求項３２】
支持体（１０）が少なくとも一つの歯列（８９）を備えていることを特徴とする請求項１〜３１のいずれか一項記載のアプリケータ。
【請求項３３】
条片（１１）が少なくとも一つの折畳み部（３２；８４）を備えていることを特徴とする請求項１〜３２のいずれか一項記載のアプリケータ。
【請求項３４】
条片（１１）が、支持体（１０）のまわりに固着されかつそれ自体部分的に重なっていることを特徴とする請求項１〜３３のいずれか一項記載のアプリケータ。
【請求項３５】
一端に支持体（１０）を担持するステム（４）を備えていることを特徴とする請求項１〜５のいずれか一項記載のアプリケータ。
【請求項３６】
ステム（４）の他端に、容器を閉塞するキャップ（５）を担持していることを特徴とする請求項３５記載のアプリケータ。
【請求項３７】
物質特に化粧品を包装及び塗布する装置であって、物質を収容する容器（２）及び請求項１〜３６のいずれか一項記載のアプリケータ（３）を有することを特徴とする装置。
【請求項３８】
アプリケータ（３）を拭う部材（８）を有することを特徴とする請求項３７記載の装置。
【請求項３９】
請求項１〜３６のいずれか一項記載のアプリケータ（３）を用いて二つの異なる化粧効果の少なくとも一方を達成し、これら化粧効果の一方が突起部に設けたアプリケータ要素を用いて得られ、他方の化粧効果が二つの部分の少なくとも一方に設けたアプリケータ要素を用いて得られることを特徴とする化粧を施す方法。
【請求項４０】
ケラチン質の繊維に物質を塗布するアプリケータであって、
支持体と；
フック及び（又は）ループで構成され、支持体に固着した少なくとも一つの条片で担持された多数のアプリケータ要素と
を有し、
条片の少なくとも一つの部位における曲率半径が、比較的小さく、特に５ｍｍ、４ｍｍ、３ｍｍ、２ｍｍに等しいか又はそれ以下であり、そして特に、１ｍｍに等しいか又はそれ以下、例えば０．５ｍｍに等しいか又はそれ以下であること
を特徴とするアプリケータ。
【請求項４１】
ケラチン質の繊維に物質を塗布するアプリケータであって、
支持体と；
フック及び（又は）ループで構成され、支持体に固着した少なくとも一つの条片で担持された多数のアプリケータ要素と
を有し、条片の横断面が非円形であること
を特徴とするアプリケータ。
【請求項４２】
支持体が条片で覆われた少なくとも一つの長手方向縁部を備えていることを特徴とする請求項４１記載のアプリケータ。
【請求項４３】
条片が少なくとも一つの折畳み部を備えていることを特徴とする請求項４１記載のアプリケータ。
【請求項４４】
条片の二つの対向する側面がほぼ平面であることを特徴とする請求項４１記載のアプリケータ。
【請求項４５】
ケラチン質の繊維、特にまつげや眉毛に物質を塗布するアプリケータであって、
支持体と；
フック及び（又は）ループで構成され、支持体に固着した少なくとも一つの条片で担持された多数のアプリケータ要素と
を有し、条片が支持体に固定した固着部材により支持体に保持されていること
を特徴とするアプリケータ。
【請求項４６】
ケラチン質の繊維に物質を塗布するアプリケータであって、
少なくとも一つの長手方向縁部をもつ支持体と；
フック及び（又は）ループで構成され、支持体に固着した少なくとも一つの条片で担持された多数のアプリケータ要素と
を有すること
を特徴とするアプリケータ。
【請求項４７】
ケラチン質の繊維、特にまつげや眉毛に物質を塗布するアプリケータであって、
支持体と；
フック及び（又は）ループで構成され、支持体に固着した少なくとも一つの条片で担持された多数のアプリケータ要素と
を有し、条片が二重に折畳んだ少なくとも一つの部分を備えていること
を特徴とするアプリケータ。
【請求項４８】
ケラチン質の繊維に物質を塗布するように構成したアプリケータであって、
支持体と；
支持体と組合わさった少なくとも一つの条片と；
少なくとも一つの条片からのびるフック及びループの少なくとも一つを備える多数のアプリケータ要素と
を有し、
支持体が単一横断面において少なくとも二つの異なる半径をもちかつスロットを備えていない表面を画定していること
を特徴とするアプリケータ。
【発明の詳細な説明】
【技術分野】
【０００１】
本発明は、ケラチン質繊維、特にまつげや眉毛に、ケアー製品を含む化粧品を塗布するアプリケータに関する。
【背景技術】
【０００２】
特許文献１には、ケラチン質の繊維、特にまつげや眉毛に物質を塗布するアプリケータであって、
支持体と、支持体に固定した条片で担持されたフックで形成された多数のアプリケータ要素とを有する、まつげに物質を塗布するアプリケータが開示されている。特許文献１においては、支持体は、通常断面が円形の円筒状又は切頭円錐状であり、アプリケータ要素はＶｅｌｃｒｏ（登録商標）条片のフックで構成されている。
【特許文献１】米国特許第４，３６５，６４２号
【０００３】
ケラチン質繊維に物質を塗布するアプリケータをさらに改良すること、及び特に例えば繊維を物質で被覆でき、繊維を分けたり繊維の表面に物質を平滑にできる利点をアプリケータによって得ようという要求がある。
【０００４】
また、例えばどちらかと言えば多量の物質で化粧すること及び少量の物質で化粧することの二つの異なる化粧効果を可能にする利点をアプリケータによって得るという要求もある。
【０００５】
また、金属コアが存在するので、物質の温度を高めるためにマイクロ波オーブンに入れるのには適さない従来のマスカラブラシに代えることにより利点を得るという要求もある。
【発明の開示】
【発明が解決しようとする課題】
【０００６】
本発明は、特に、上記の要求の幾つか又は全てを満たすことにある。
【課題を解決するための手段】
【０００７】
本発明の特徴の一つによれば、本発明は、
支持体と；
フック及び（又は）ループで構成され、支持体に固着した少なくとも一つの条片で担持された多数のアプリケータ要素と；
を有し、
条片が、アプリケータ要素を担持する少なくとも一つの表面不規則部、特に突起部を備え、上記突起部が、条片を二つの部分に副分割し、二つの各部分がアプリケータ要素を備えている、ケラチン質の繊維、特にまつげや眉毛に物質を塗布するアプリケータを提供する。
【０００８】
表面不規則部、特に突起部の少なくとも一つの部位における曲率半径は、上記部分の一方の曲率半径と異なっており、特に比較的小さい曲率半径であり、例えば条片における折畳み部によって又は条片の縁部によって画定され得る。
【０００９】
表面不規則部、特に突起部に設けたアプリケータ要素は、第１の化粧効果を得るのに用いられ得、他の部分で担持されたアプリケータ要素は、異なる化粧効果を得るのに用いられ得る。
【００１０】
表面不規則部、特に突起部で分けられた部分は随意に異なる曲率半径を持ち得る。
【００１１】
少なくとも一つの部位において、条片は、５ｍｍに等しか又はそれ以下であり、特に４ｍｍ、３ｍｍ、２ｍｍ、又は１ｍｍに等しいか又はそれ以下であり得る。
【００１２】
本発明の別の特徴において、本発明は、
支持体と；
フック及び（又は）ループで構成され、支持体に固着した少なくとも一つの条片で担持された多数のアプリケータ要素と
を有し、
条片の少なくとも一つの部位における曲率半径が、比較的小さく、特に５ｍｍ、４ｍｍ、３ｍｍ、又は２ｍｍに等しいか又はそれ以下であり、そして特に、１ｍｍに等しいか又はそれ以下、例えば０．５ｍｍに等しいか又はそれ以下であることを特徴とする、ケラチン質の繊維に物質を塗布するアプリケータを提供する。
【００１３】
本発明によれば、特にまつげを分けるために又はまつげの表面において物質を平滑にするために適したアプリケータにおけるアプリケータ要素の分布による利点を得ることができる。条片の小さな曲率半径は、特にアプリケータ要素の列を分離してそれら要素間にまつげを容易に係合させて分けるようにするのに役立ち得る。
【００１４】
例として、アプリケータは、条片が、第１に実質的に平面である又は特に２ｍｍ以上の比較的大きな曲率半径で湾曲している少なくとも一つの面を備え、第２に少なくとも一つの縁部又は折畳み部を備えるようにして構成され得る。実質的に平面又は湾曲面はまつげに物質を被覆するために用いられ得、一方、縁部又は折畳み部に位置したアプリケータ要素は、まつげを分けるために又はまつげの表面で物質を平滑にするために用いられ得る。
【００１５】
このようなアプリケータは、全体として金属を用いずに構成され得、そして従来のマスカラブラシに代えて用いられ得る。金属がないことにより、マイクロ波オーブンにも入れることができるようになる。
【００１６】
条片は支持体に熱シールされ得る及び（又は）接着剤で固着され得る。或いは条片はある他の仕方で固着され得る。支持体は特に条片にオーバーモールドされ得る。条片は固着部材によって支持体上に少なくとも部分的に保持され得る。
【００１７】
アプリケータ要素を担持する第１の面及び第１の面の反対側の第２の面を備えた条片は、接着性であり得る第２の面に対して二重に折畳まれ得る。第２の面が接着性であることにより、条片を支持体に明確に固着することか又は例えば熱シール又は固着部材による固着作業の間支持体に条片を保持することによって、アプリケータを容易に作ることができるようになる。条片は実質的に平面である少なくとも一つの面及び特に二重に折畳んだときに実質的に平面である二つの対向した面を備えることができる。条片は、少なくとも一つの折畳み部を備えることができ、そして折畳み線は、曲率半径が２ｍｍに等しいか又はそれ以下である領域を画定している。
【００１８】
条片は、支持体の形状に全体として又は部分的に合致するようにして支持体に固着され得る。従って支持体は条片の配置される表面を備えることができ、そして上記表面の少なくとも一つの部位における曲率半径は、５ｍｍ、４ｍｍ、３ｍｍ、又は２ｍｍに等しいか又はそれ以下であり得る。この部位は例えば縁部に対応している。この縁部は、支持体の方向の異なる二つの表面間の継ぎ目に位置している。
【００１９】
支持体の全長の少なくとも一部、例えば主要部分にわたって、支持体の横断面は円形ではなく、特に実質的に多角形又は矩形であり得る。
【００２０】
支持体は、例えば支持体に少なくとも一列の歯を形成できるように、単に部分的にのみ条片で被覆され得、歯の該列は例えば条片の二つの縁部の間に配置され得る。条片は支持体と全長にわたって接触しない面を備え得る。特に、この面は、上記の突起部付近では支持体と接触する必要はない。支持体の基端部分は、ワイパーを通過する際にアプリケータ要素を保護するように、アプリケータ要素で画定された包囲表面より大きくできる。
【００２１】
条片は、天然又は合成の材料で作ることができる。特に、条片は、織布又は不織布材料から成り得、そして随意にフロック加工され得る。
【００２２】
各アプリケータ要素は、フック又はループの形状であり得る。
【００２３】
アプリケータ要素の基部は条片上に規則的に又は他の仕方で配置され得る。
【００２４】
特に、アプリケータ要素は、ランダムな方向に向いた三つの端部を備え得る。
【００２５】
アプリケータ要素の高さは、条片との接合部から測って４ｍｍに等しいか又はそれ以下であり得、そして特に高さは２ｍｍに等しいか又はそれ以下であり、例えば約１．５ｍｍであり得る。
【００２６】
条片は、少なくとも一つの開口、特にスロットを備えることができ、かかる開口はアプリケータに付ける物質の量を増やし、その結果さらに物質を付けるまでに使用できる時間を長くするのに寄与し得る。
【００２７】
条片は、支持体のまわりに固着され、それ自体部分的に重なるようにされ得る。変形例では、条片は、重ねられずに接触した又は接触しない二つの縁部を備えることができる。
【００２８】
アプリケータは、一端に支持体を担持するステムを備えることができる。ステムの他端には、容器を閉塞するキャップが担持され得る。
【００２９】
本発明の実施の形態では、支持体は、物質の供給源と流体連通する少なくとも一つの通路を備えることができる。
【００３０】
条片は、物質に対して透過性であり、上記通路と流体連通する少なくとも一つの通路を備えることができる。
【００３１】
本発明の別の特徴において、本発明は、上記のアプリケータと共に物質を収容する容器を有し、物質特に化粧品を包装及び塗布する装置を提供する。
【００３２】
この装置は、物質を付けるためにアプリケータを容器内に挿入する際にアプリケータを拭う部材を備え得る。変形例では、アプリケータは、他の仕方で、例えば物質のケーキに接触させることによって物質を付ける（ピックアップする）ことができる。
【００３３】
本発明はまた、ケラチン質繊維、特にまつげや眉毛に塗布するアプリケータを独立して又は上記のものと組み合わせて提供し、かかるアプリケータは、
支持体と；
フック及び（又は）ループで構成され、支持体に固着した少なくとも一つの条片で担持された多数のアプリケータ要素と
を有し、条片の横断面は非円形である。支持体は、条片で覆われた少なくとも一つの長手方向縁部を備えることができる。条片は少なくとも一つの折畳み部を備えることができる。条片は、実質的に平面である二つの対向した側面を備えることができる。
【００３４】
本発明はまた、ケラチン質繊維、特にまつげや眉毛に塗布するアプリケータを独立して又は上記のものと組み合わせて提供し、かかるアプリケータは、
支持体と；
フック及び（又は）ループで構成され、支持体に固着した固定部材で支持体に保持された多数のアプリケータ要素と
を有する。
【００３５】
本発明はまた、ケラチン質繊維、特にまつげや眉毛に塗布するアプリケータを独立して又は上記のものと組み合わせて提供し、かかるアプリケータは、
少なくとも一つの長手方向縁部をもつ支持体と；
フック及び（又は）ループで構成され、支持体に固着した少なくとも一つの条片で担持された多数のアプリケータ要素と
を有する。
【００３６】
本発明はまた、ケラチン質繊維、特にまつげや眉毛に塗布するアプリケータを独立して又は上記のものと組み合わせて提供し、かかるアプリケータは、
支持体と；
フック及び（又は）ループで構成され、支持体に固着した少なくとも一つの条片で担持された多数のアプリケータ要素と
を有し、条片は二重に折畳んだ少なくとも一つの部分を備えている。
【００３７】
本発明はまた、  上述のアプリケータを用いて二つの異なる化粧効果の少なくとも一方を達成し、これら化粧効果の一方が突起部に設けたアプリケータ要素を用いて得られ、他方の化粧効果が二つの部分の少なくとも一方に設けたアプリケータ要素を用いて得られることを特徴とする化粧を施す方法を提供する。
【００３８】
本発明は、添付図面を参照して、本発明を限定しない実施の形態についての以下の詳細な説明から一層良く理解される。
【発明を実施するための最良の形態】
【００３９】
図１に示す包装及び塗布装置１は、ケラチン質繊維に塗布すべき物質Ｐ例えばマスカラを収容した容器２、及びアプリケータ３を有し、アプリケータ３は、軸線Ｘの直線状ステム４を備え、このステム４の頂部には、容器２の首部６にねじ嵌合する閉塞キャップ５が設けられている。
【００４０】
容器２は、アプリケータ３が容器２から抜き取られる際にアプリケータ３を拭うワイパー部材８を備えている。
【００４１】
説明している例では、ステム４は直線状であるが、しかし変形例としてステム４は湾曲状でもよい。ワイパー部材８は任意の公知型のものでよく、例えば複数のスロットを随意に備えたエラストマリップから成るか又は発泡体の分割ブロックから成り得る。
【００４２】
アプリケータ３は、ステム４の底端部に固定された支持体１０を有している。
【００４３】
本発明の一つの特徴によれば、特に図２及び図３で見ることができるように、支持体１０は可撓性条片１１を担持し、この可撓性条片１１は第１の面１３及び第１の面の反対側の第２の面１４を備えている。第１の面１３は多数のアプリケータ要素１６を担持し、第２の面１４は支持体１０に固着されている。
【００４４】
記載した例では、条片１１はＶｅｌｃｒｏ（登録商標）型のものであり、そして織物であり得、また第２の面１４は接着性であり得る。
【００４５】
条片１１は単に第２の面１４を接着させることにより支持体１０に固着できるが、条片１１は好ましくは固着線１７に沿って長手方向縁部に近接して支持体１０に熱シールされる。例として、熱シールは、条片１１を支持体上の適位置に配置してから、図５に概略的に示す熱シール冶具Ｓを条片１１に押圧することにより行われ得る。
【００４６】
条片１１の厚さは、１ｍｍに等しいか又はそれ以下であり得、特に例えば０．５ｍｍに等しいか又はそれ以下であり得る。
【００４７】
支持体１０は基端部分２１及び先端部分２２を備えることができ、これらの部分はアプリケータ３をワイパー部材８に容易に通すことができるようにテーパー状になっている。
【００４８】
本発明の一つの特徴によれば、条片１１の少なくとも一つの部位における表面は不規則であり、特に突起しており、そして記載した例では、この不規則性は図４に見られるように、２ｍｍに等しいか又はそれ以下の曲率半径Ｒをもつ部分である。この曲率半径Ｒは、横断面において第１の面１３上で測られる。
【００４９】
記載した例において、支持体１０は二つの対向した側面２５、２６を備え、これらの側面２５、２６は外側に僅かに凸面状であり、頂部において面２７で互いに接続されている。この面２７は側面２５、２６と共働してそれぞれの長手方向縁部２８、２９を画定し、これらの長手方向縁部２８、２９の曲率半径は図３の断面において２ｍｍに等しいか又はそれ以下のであり、それで条片１１は２ｍｍに等しいか又はそれ以下の曲率半径の上記縁部と局部的に接触するようにできる。側面２５、２６の少なくとも一つの部位における曲率半径Ｒ’は曲率半径Ｒにより大きい。
【００５０】
支持体１０の形状により、アプリケータの比較的狭い面２７に沿って、例えばまつげを分けることのできるアプリケータ要素１６の連続体３０を得ることができるようになり、また側面２５、２６を覆うアプリケータ要素１６は例えばまつげに塗布する比較的多量の物質を捕えるようにされている。
【００５１】
本発明により、それぞれのアプリケータ要素において異なって変化するようにアプリケータ要素の基部が向けられる少なくとも二つの領域を備えたアプリケータを作ることができることは理解される。従って、面２７と側面２５、２６のいずれか一方との間の接合部において、第１の面１３に実質的に垂直である、アプリケータ要素１６の基部１６ａの方向は、図４に見られ得るように大きく変えられ、小さな曲率半径Ｒとし、一方、側面２５、２６の各々においては、基部１６ａは実質的に互いに平行であるか又はそれらの方向は比較的僅かに変化する。
【００５２】
条片１１は種々の仕方で支持体１０に固着され得、そして特に支持体１０は図６及び図７に示すように、条片１１上にオーバーモールドされ得る。
【００５３】
特に図６及び図７から分かるように、条片１１は、支持体１０を条片１１上にオーバーモールドする前に、第２の面１４に対して二重に折畳まれ得、その場合、条片１１は例えば実質的に長方形の形状をなし得る。折畳み線３２は、アプリケータの長手方向軸線Ｘに垂直な平面で測定した条片１１の曲率半径が小さい、特に２ｍｍに等しいか又はそれ以下である領域を構成している。支持体１０は条片１１上にオーバーモールドされ、そして折畳み線３２から離れた縁部、及び支持体１０の基端部分２１及び先端部分２２に隣接した二つの縁部を覆っている。オーバーモールディング中、アプリケータ要素１６を構成する材料は、融解されて支持体１０の材料と混合される。第２の面１４が接着性である場合には、オーバーモールディング動作中、二重に折畳まれた条片１１を保持するのに寄与している。
【００５４】
図６及び図７の例では、条片１１は、アプリケータ要素１６を担持する二つのア対向面を備えており、これらの面は実質的に平面状であり、折畳み線３２に沿ったアプリケータ要素１６はまつげを分ける際に用いるのに適している。
【００５５】
図６で見ることができるように、支持体１０は、適当な場合には、単一成形動作でステム１４と一体に構成され得る。
【００５６】
支持体１０及び支持体１０の全体又は一部を包囲し得る条片１１は、上記以外の種々の形状でもよく、そして例として幾つかの可能な形状を図８〜図１６に示している。
【００５７】
図８において、支持体１０の横断面は多角形、例えば三角形であることが分かり、条片１１は三角形の三つの全ての辺を覆っている。縁部に沿って位置したアプリケータ要素１６はまつげを分けるために用いられ得る。
【００５８】
図８の例において、三角形の辺を画定している支持体１０の面は実質的に平面であるが、しかし外側に向って僅かに凸状か又は凹状に湾曲した形状にすることも本発明の範囲内である。
【００５９】
図９では、支持体１０は、一般的に平坦な横断面形として示されており、二つの対向した側面３４、３５は実質的に平面状でしかも互いに平行であり、二つの半円筒状表面３７、３８によって相互接続され、各半円筒状表面３７、３８の曲率半径は２ｍｍに等しいか又はそれ以下である。
【００６０】
図１０に示すように、横断面において、支持体１０は、少なくとも二つの対向した縁部４０、４１を画定している一般的にひし形であり、各縁部４０、４１の曲率半径は長手方向軸線Ｘに垂直な平面において２ｍｍに等しいか又はそれ以下である。
【００６１】
図１１に見られるように、支持体１０の横断面も平面状である二つの対向した側面４４、４５を備え得、これら二つの対向した側面４４、４５は一側において半円筒状面４７で一体に接合され、この半円筒状面４７の曲率半径は例えば２ｍｍに等しいか又はそれ以上であり得る。半円筒状面４７はこの例では側面４４、４５に接線方向に接続している。半円筒状面４７の反対側の他側においては、支持体１０は面５３を備え、この面５３は側面４４、４５に接線方向に接続され、それにより縁部５１、５２を画定し、これら各縁部５１、５２の曲率半径は、２ｍｍに等しいか又はそれ以下である。面５３は図示したように僅かに外側へ凸状であり得る。
【００６２】
図１２に示すように、支持体１０はレンズ形でもよく、二つの外側へ凸状の対向した側面５４、５５は縁部５６、５７で一体にされ、これら各縁部５６、５７の曲率半径は２ｍｍに等しいか又はそれ以下である。
【００６３】
条片１１の第２の面１４全体が支持体１０と接触する必要はない。例として、図１３には、支持体１０の横断面が実質的に円形であり、一方、条片１１の横断面が実質的に多角形例えば三角形であり、実質的に三角形の辺の中間部位で支持体１０と接触しているアプリケータが示されている。この例では、条片１１は、まつげを分けるのに使用するのに適した２ｍｍに等しいか又はそれ以下の曲率半径の三つの縁部を備えている。条片１１はそれの第２の面１４上に存在する接着剤によって支持体１０に固着され得るが、しかし熱シールで保持することも可能である。
【００６４】
図１４に示す支持体１０では、底部分５８は条片１１で覆われてなく、また頂部分５９は一般的に平坦な形状を成し、条片１１で覆われている。頂部分５９の二つの対向した側面６２、６３は互いに向う方向において上向きに集束し、それらの接合部に縁部６４を画定している。底部分５８と頂部分５９との間の接合部において支持体１０は二つの長手方向溝６５を画定し得、これらの溝６５において条片１１は支持体１０に熱シールされ得る。
【００６５】
図１５の例では、条片１１は支持体１０のほんの一部分を覆い、二つの端部分６７、６８を介して支持体１０に接続され、二つの端部分６７、６８は例えば接着剤又は熱シールによって支持体１０に固着される。条片１１の頂部分は第２の面１４を介して二重に折畳まれている。
【００６６】
図１６及び図１７の例では、条片１１の端部分７０、７１は支持体１０に固着され、条片１１の残りの部分は、支持体１０の一側にのびる中空断面例えば三角形断面となるように形成されている。
【００６７】
条片１１は、図１８に示すように互いに接触する二つの縁部７２、７３を介して又は図１９に示すように重なり合う二つの端部分７４、７５を介して支持体１０に固定され得る。
【００６８】
特に二重に折畳んだ時に、条片１１は有孔にされ、例えばそれぞれ図２０及び図２１に示すように円形開口７６又はスロット形開口７７を備えることができる。このような円形開口７６又はスロット形開口７７は、特に物質を拭わずに供給できるようにすることで、アプリケータで捕捉できる物質の量をさらに増やすことができる。
【００６９】
アプリケータ要素１６は種々の形態にでき、特に、Ｖｅｌｃｒｏ（登録商標）条片において普通に存在する形状、例えば図２２〜図２５に示すようなフック形状にできる。ここで用語“フック形状”は、機械的フック作用をもたらすのに適した種々の形状、特に図２に示すようなカットループで構成される形状、図２３に示すような釣り針形状、或いは図２４に示すようなきのこ形状を表すように非常に広義に用いられる。
フック形状の要素は特に、ループ要素に引っ掛けるのに適している。
【００７０】
アプリケータ要素はフックの形態である必要がなく、図２６に示すように閉じたループで構成してもよい。
【００７１】
条片１１上におけるアプリケータ要素の分布は図２５に示すように一様であってもなくてもよい。適当な場合には、条片１１を支持体１０に固着した後にアプリケータの受けた処理の結果、一様でない分布となり得る。
【００７２】
図２７には、本発明の別の実施の形態を構成している包装及び塗布装置を示す。
【００７３】
かかる装置においては、アプリケータ３のステム４は平坦であり、アプリケータ３は例えばスナップ嵌めにより容器２の首部６に固定され得る。
【００７４】
支持体１０はステム４と一体に構成することができ、条片１１は、図２９に示すように相対した側面８１、８２を覆うために支持体１０上に配置する前に図２８に示すように折畳み腺８４に沿って折畳まれ得る。条片１１は、接着剤によって又は熱シールによって或いは記載した例の場合のように支持体１０に嵌めた固着部材８３例えばリングによって支持体１０に固定され得、そしてスナップ嵌め固着、接着剤又は熱シールによってステム４に組立てられ得る。折畳み線８４に隣接した条片１１のほんの一部分は、図３０に見られるように物質を塗布するために固着部材８３から突出している。この実施の形態では、条片１１の第２の面１４は有利には接着性をもち、従って固着部材８３を適位置に配置する前に支持体１０上の適位置に条片１１を保持することかできる。
【００７５】
図２７〜図３０の例では、折畳み線８４はアプリケータ３の長手方向軸線Ｘに実質的に垂直にのびている。この折畳み線８４はそれに垂直な平面において小さな曲率半径の領域を画定し、またこの折畳み線８４に沿ってのびるアプリケータ要素１６は例えばまつげを分けるために用いることができる。
【００７６】
図３１に示すように、アプリケータは、縁部８６又は領域又は小さな曲率半径を画定する接合部をもつ対向した面上だけでなく、縁部８６に実質的に垂直にのびる端面８５、８７上にもアプリケータ要素を備えることができる。
【００７７】
図３２に示すように、支持体１０は、例えばアプリケータの長手方向軸線Ｘに平行にのびる少なくとも一列の歯８９を備えることができる。この列の歯８９は条片１１の縁部９０の反対側に配置され得、縁部９０は軸線Ｘに垂直な平面において小さな曲率半径の領域を画定している。
【００７８】
図３３及び図３４に示すように、アプリケータは二つの条片１１を備えることができる。例として、このような状況において支持体１０は、各々それぞれの条片１１で覆われた二つの伸張部９３、９４を備えることができ、そして条片の少なくとも一方の少なくとも一つの部位の曲率半径が相対的に小さくなるように形成され得る。
【００７９】
当然、本発明は上記した例に限定されない。
【００８０】
特に、支持体１０については種々の変更が可能である。
【００８１】
図３５に示す変形例では、支持体１０は、図７の実施の形態の場合のように二重に折畳まれた条片上にオーバーモールドされる。しかし、図７と違って、条片は支持体１０の各側から突出している。
【００８２】
アプリケータはまた、物質供給源から例えば図３６に示すように容器２に収容した物質を供給するように構成され得る。この例では、支持体１０は、中空であるステム４を介して容器２の内部に連通し、また支持体１０は、通路１０１を介して条片１１の下に位置した支持体１０の表面と連通する内部空洞１００を備えている。条片は物質に対して透過性であり、少なくとも一つのオリフィス１０２を備えている。
【００８３】
記載した例では、条片１１は、アプリケータ要素１６の間にのびる多数のオリフィス１０２を備え、それにより通路１０１に沿って物資を流して条片１１の外側表面へ送り出して、化粧すべき表面に塗布するようにされる。物質は、弾性的に変形できる容器２の壁に作用する圧力の作用で通路１０１に沿って流れることができる。物質を条片１１の外側表面に送り出す他の手段、例えばポンプを用いることもできる。
【００８４】
特許請求の範囲を含む明細書の記載において、用語“有する、備える、又はから成る”は、特に注釈しない限り“少なくとも一つ有する、少なくとも一つ備える、又は少なくとも一つから成る”と同義であると理解されるべきである。
【図面の簡単な説明】
【００８５】
【図１】本発明の第１の実施の形態を構成する包装及び塗布装置の概略軸方向断面図。
【図２】図１のアプリケータの一部を分離して示す側面図。
【図３】図２の矢印ＩＩＩ−ＩＩＩに沿った断面図。
【図４】図３の細部ＩＶを示す拡大断面図。
【図５】アプリケータ要素を担持する条片に用いられる熱シール冶具を示す斜視図。
【図６】条片にオーバーモールドされる支持体を備えたアプリケータの概略図。
【図７】図６の矢印ＶＩＩ−ＶＩＩに沿った断面図。
【図８】別の実施の形態を示す断面図。
【図９】別の実施の形態を示す断面図。
【図１０】別の実施の形態を示す断面図。
【図１１】別の実施の形態を示す断面図。
【図１２】別の実施の形態を示す断面図。
【図１３】別の実施の形態を示す断面図。
【図１４】別の実施の形態を示す断面図。
【図１５】別の実施の形態を示す断面図。
【図１６】別の実施の形態を示す断面図。
【図１７】図１６に示すアプリケータの概略斜視図。
【図１８】支持体に条片を固定した例を示す断面図。
【図１９】支持体に条片を固定した例を示す断面図。
【図２０】本発明のアプリケータに用いるのに適した条片の一例を示す斜視図。
【図２１】本発明のアプリケータに用いるのに適した条片の別の例を示す斜視図。
【図２２】アプリケータ要素の一例を示す概略断面図。
【図２３】アプリケータ要素の別の例を示す概略断面図。
【図２４】アプリケータ要素の別の例を示す概略断面図。
【図２５】アプリケータ要素の別の例を示す概略断面図。
【図２６】アプリケータ要素の別の例を示す概略断面図。
【図２７】本発明の別の実施の形態を構成している包装及び塗布装置の概略立面図。
【図２８】支持体に装着される条片を示す図。
【図２９】支持体に装着される条片を示す図。
【図３０】支持体に装着される条片を示す図。
【図３１】アプリケータの他の例を示す概略立面図。
【図３２】アプリケータにくし状体を形成できる仕方を示す図。
【図３３】支持体に固定された多数の特に二つの条片をアプリケータにくし状体に形成できる仕方を示す図。
【図３４】図３３の矢印ＸＸＸＩＶ−ＸＸＸＩＶに沿った断面図。
【図３５】変形実施の形態を示す、図７と同様な図。
【図３６】アプリケータの別の実施の形態を示す立面図。
【図３７】図３６の矢印ＸＸＸＶＩＩ−ＸＸＸＶＩＩに沿った概略断面図。
【符号の説明】
【００８６】
１：包装及び塗布装置
２：容器
３：アプリケータ
４：直線状ステム
５：閉塞キャップ  
６：容器２の首部
８：ワイパー部材
１０：支持体
１１：可撓性条片
１３：第１の面
１４：第２の面
１６：アプリケータ要素
１７：固着線
２１：基端部分
２２：先端部分
２５：側面
２６：側面
２７：面
２８：長手方向縁部
２９：長手方向縁部
３０：アプリケータ要素１６の連続体
３２：折畳み線
３４：側面
３５：側面
３７：半円筒状表面
３８：半円筒状表面
４０：縁部
４１：縁部
４４：側面
４５：側面
４７：半円筒状面
５１：縁部
５２：縁部
５３：面
５４：側面
５５：側面
５６：縁部
５７：縁部
５８：底部分
５９：頂部分
６２：側面
６３：側面
６４：縁部
６５：長手方向溝
６７：端部分
６８：端部分
７０：端部分
７１：端部分
７２：縁部
７３：縁部
７４：端部分
７５：端部分
７６：円形開口
７７：スロット形開口
８１：側面
８２：側面
８３：固着部材
８４：折畳み線
８５：端面
８６：縁部
８７：端面
８９：歯
９０：縁部
９３：伸張部
９４：伸張部
１００：内部空洞
１０１：通路
１０２：オリフィス
Ｐ：物質
Ｒ：曲率半径
Ｒ’：曲率半径
【図１】
2004351210.tif 000003
【図２】
2004351210.tif 000004
【図３】
2004351210.tif 000005
【図４】
2004351210.tif 000006
【図５】
2004351210.tif 000007
【図６】
2004351210.tif 000008
【図７】
2004351210.tif 000009
【図８】
2004351210.tif 000010
【図９】
2004351210.tif 000011
【図１０】
2004351210.tif 000012
【図１１】
2004351210.tif 000013
【図１２】
2004351210.tif 000014
【図１３】
2004351210.tif 000015
【図１４】
2004351210.tif 000016
【図１５】
2004351210.tif 000017
【図１６】
2004351210.tif 000018
【図１７】
2004351210.tif 000019
【図１８】
2004351210.tif 000020
【図１９】
2004351210.tif 000021
【図２０】
2004351210.tif 000022
【図２１】
2004351210.tif 000023
【図２２】
2004351210.tif 000024
【図２３】
2004351210.tif 000025
【図２４】
2004351210.tif 000026
【図２５】
2004351210.tif 000027
【図２６】
2004351210.tif 000028
【図２７】
2004351210.tif 000029
【図２８】
2004351210.tif 000030
【図２９】
2004351210.tif 000031
【図３０】
2004351210.tif 000032
【図３１】
2004351210.tif 000033
【図３２】
2004351210.tif 000034
【図３３】
2004351210.tif 000035
【図３４】
2004351210.tif 000036
【図３５】
2004351210.tif 000037
【図３６】
2004351210.tif 000038
【図３７】
2004351210.tif 000039